(57)【要約】【課題】熱容量が大きい転写材と小さい転写材を交互に用いて画像形成を行う場合に、転写材の搬送速度を変更しても生産性の良い画像形成ができる画像形成装置を提供すること。【解決手段】転写材の種類に応じて転写材の搬送速度を変更して画像形成を行わせることができる制御手段を備えた画像形成装置において、前記制御手段は、ＪＯＢ情報及びＪＯＢデータに基づき画像形成を行う際に、第１の画像形成モードによる第１の画像形成時間と、第２の画像形成モードによる第２の画像形成時間とを算出して比較し、前記画像形成時間が短い方の前記画像形成モードで、画像形成を行うようにしたこと。【選択図】        図１
2005037478.tif 000002
【特許請求の範囲】
【請求項１】
転写材の種類に応じて転写材の搬送速度を変更して画像形成を行わせることができる制御手段を備えた画像形成装置において、
原稿の画像形成に関するＪＯＢ情報をＪＯＢ単位で記憶するＪＯＢ情報記憶手段と、転写材の種類に応じた前記搬送速度と前記搬送速度を変更設定するときの変更設定時間とをＪＯＢデータとして記憶するＪＯＢデータ記憶手段と、転写材の種類に応じた前記搬送速度で画像形成を行う第１の画像形成モードと、前記ＪＯＢデータ中の最低搬送速度で画像形成を行う第２の画像形成モードとを備え、前記制御手段は、前記ＪＯＢ情報及び前記ＪＯＢデータに基づき画像形成を行う際に、前記第１の画像形成モードによる第１の画像形成時間と、前記第２の画像形成モードによる第２の画像形成時間とを算出して比較し、画像形成時間が短い方の前記画像形成モードで、画像形成を行うようにしたことを特徴とする画像形成装置。
【請求項２】
前記制御手段は、前記第１及び第２の画像形成時間の算出を１つのＪＯＢ単位で行うことを特徴とする請求項１に記載の画像形成装置。
【請求項３】
前記制御手段は、前記第１及び第２の画像形成時間の算出を一定ページ数単位で行うことを特徴とする請求項１に記載の画像形成装置。
【請求項４】
転写材の種類に応じた前記搬送速度とは異なる他の前記搬送速度で画像形成を行う場合は、前記制御手段は、転写材の種類に応じた前記搬送速度に対する他の前記搬送速度との搬送速度比を求め、転写材の種類に応じた前記搬送速度で画像形成を行ったときの第１の制御値に対して前記搬送速度比を乗じて得られた第２の制御値により画像形成を行うことを特徴とする請求項１に記載の画像形成装置。
【請求項５】
前記第１及び第２の制御値は、画像形成に係る帯電出力、現像スリーブ回転速度、転写出力、分離出力、及び定着目標温度の少なくとも１つの制御値であることを特徴とする請求項４に記載の画像形成装置。
【発明の詳細な説明】
【０００１】
【発明の属する技術分野】
本発明は、複写機、プリンタ、ファクシミリ等の画像形成装置に関する。
【０００２】
【従来の技術】
近年、複写機、プリンタ、ファクシミリ等の画像形成装置においては、高速化や高解像度化が進んでいる。高速化や高解像度化に対応するために、画像形成装置は、用いられる様々な記録部材において、高速で高解像度の画像が形成できるようになっていなければならない。
【０００３】
電子写真方式を用いた画像形成装置では、高速で高解像度の画像を形成するために、これらの記録部材（転写材ともいう。）上に転写されたトナー像を高解像度で安定して定着させる必要がある。
【０００４】
定着装置としては、熱定着装置が広く利用されており、熱定着装置は、熱源（ヒータ）により加熱される定着ローラに加圧ローラを圧接させ、転写材を両ローラで挟持搬送しながら熱と圧力とにより未定着トナー像の定着を行なうヒートローラ方式のものが多用されている。そして、定着時にはヒータの単位時間当たりの発熱量を制御して定着ローラの表面温度を所定の定着温度に維持し、定着ローラ及び加圧ローラのニップ部において転写材上のトナー像に適正範囲の熱量を付与するようになっている。
【０００５】
転写材上のトナー像に熱量を付与する場合、付与される定着熱量が大きい場合には、トナー粒子が熱溶融してスポットオフ（中抜け）が発生しやすくなったり、転写材にしわが発生したりする。また、定着熱量が小さい場合には、トナー粒子の軟化が不充分になって定着不良が発生しやすくなる。
【０００６】
従って、熱定着装置における最適な熱量付与の制御は、転写材の搬送速度が速い場合（画像解像度が低い場合）に定着目標制御温度を高く設定し、転写材の搬送速度が遅い場合（画像解像度が高い場合）に定着目標制御温度を低く設定することで定着に最適な熱量付与を達成することができる。
【０００７】
しかしながら、このように、解像度に応じて定着目標制御温度（定着目標温度ともいう。）を細やかに変更させたのでは制御自体が複雑になるばかりでなく、定着目標温度を上げたり下げたりすると、定着目標温度に安定するまでに時間がかかり、画像形成装置の生産性が悪化してしまうという問題が発生する。
【０００８】
そこで、熱定着装置を備えた画像形成装置において、転写材の搬送速度を少なくとも３種類に変更可能であり、且つ、転写材の搬送速度に応じて熱定着装置の定着目標制御温度を変更可能とすると共に、転写材の搬送速度が所定の速度以上の場合は前記熱定着装置の定着目標制御温度を所定の一定温度とし、転写材の搬送速度が所定の速度未満の場合は熱定着装置を転写材の搬送速度に対応した定着目標制御温度で温度制御するようにすることが提案されている（例えば、特許文献１参照。）。
【０００９】
【特許文献１】
特開２００１−１５４５３３号公報
【００１０】
【発明が解決しようとする課題】
しかしながら、上記の提案は、高解像度化に対応するために、ある温度になると転写材の搬送速度をそれ以上に上げたとしても、不具合が生じることなく定着させることができることに着目し、転写材の搬送速度に対応した温度制御を行う範囲を限定して、制御を簡単にしようとするものではあるが、範囲を限定したとはいえ、転写材の搬送速度により定着目標温度を変更するようになっているので、定着目標温度を変更した場合は定着目標温度に安定するまでに時間が掛かるという問題は解消されていない。
【００１１】
そこで、特許文献１では、用紙が定着装置に達したときには定着温度が定着目標温度に達しているように温度制御を開始させるポイントを変更したり、更には、定着温度が定着目標温度になるのを給紙カセットで待つのではなく、感光体ドラムの直前の用紙保持部で待つようにして、この無駄な時間を一見無駄な時間に見せないように工夫しているが、定着装置の制御にとどまらず、かえって画像形成装置の制御を複雑にしてしまい、結果的に、画像形成装置の生産性を悪化させてしまうという問題が発生している。
【００１２】
また、定着装置においては、上記問題の他に、転写材として厚みの厚いもの、又は、表面の平滑性が低いものを使用した場合、転写材に与える定着熱量が大きくなり、定着目標温度を上げる必要があるが、定着目標温度には安全上の上限が設けられているため、定着目標温度を上げる代わりに転写材の搬送速度を遅くして付与する熱量を制御せざるを得ない場合がある。
【００１３】
そこで、定着目標温度を制御するのではなく定着温度を安全上の上限付近で一定にして、搬送速度を変えることにより転写材に付与する熱量を制御することが考えられる。
【００１４】
しかしながら、単純に定着に係る問題解消のために転写材の搬送速度を変化させると、例えば、感光体ドラムの回転速度を転写材の搬送速度に合わせることが必要になったり、露光工程でのポリゴンミラーの回転数を感光体ドラムの回転速度に合わせて変更したりする一連の変更設定処理を行わねばならず、このような変更設定処理を行うには、少なくとも１０秒以上の時間が必要となってしまう。
【００１５】
従って、熱容量が大きい転写材と小さい転写材を交互に用いて画像形成（出力ともいう。）を行う場合に、転写材の搬送速度を変化させようとすると、この変更設定処理を繰り返すことになり、多大な時間が掛かるので、画像形成工程全体の制御に大きく影響を及ぼし、画像形成装置の生産性が悪化してしまうという問題が発生する。
【００１６】
本発明は、上記問題に鑑み、熱容量が大きい転写材と小さい転写材を交互に用いて画像形成を行う場合に、転写材の搬送速度を変更しても生産性の良い画像形成ができる画像形成装置を提供することを目的とする。
【００１７】
【課題を解決するための手段】
上記目的は、下記構成を採ることにより達成される。
【００１８】
（１）転写材の種類に応じて転写材の搬送速度を変更して画像形成を行わせることができる制御手段を備えた画像形成装置において、
原稿の画像形成に関するＪＯＢ情報をＪＯＢ単位で記憶するＪＯＢ情報記憶手段と、転写材の種類に応じた前記搬送速度と前記搬送速度を変更設定するときの変更設定時間とをＪＯＢデータとして記憶するＪＯＢデータ記憶手段と、転写材の種類に応じた前記搬送速度で画像形成を行う第１の画像形成モードと、前記ＪＯＢデータ中の最低搬送速度で画像形成を行う第２の画像形成モードとを備え、前記制御手段は、前記ＪＯＢ情報及び前記ＪＯＢデータに基づき画像形成を行う際に、前記第１の画像形成モードによる第１の画像形成時間と、前記第２の画像形成モードによる第２の画像形成時間とを算出して比較し、画像形成時間が短い方の前記画像形成モードで、画像形成を行うようにしたことを特徴とする画像形成装置。
【００１９】
（２）前記制御手段は、前記第１及び第２の画像形成時間の算出を１つのＪＯＢ単位で行うことを特徴とする前記（１）に記載の画像形成装置。
【００２０】
（３）前記制御手段は、前記第１及び第２の画像形成時間の算出を一定ページ数単位で行うことを特徴とする前記（１）に記載の画像形成装置。
【００２１】
（４）転写材の種類に応じた前記搬送速度とは異なる他の前記搬送速度で画像形成を行う場合は、前記制御手段は、転写材の種類に応じた前記搬送速度に対する他の前記搬送速度との搬送速度比を求め、転写材の種類に応じた前記搬送速度で画像形成を行ったときの第１の制御値に対して前記搬送速度比を乗じて得られた第２の制御値により画像形成を行うことを特徴とする前記（１）に記載の画像形成装置。
【００２２】
（５）前記第１及び第２の制御値は、画像形成に係る帯電出力、現像スリーブ回転速度、転写出力、分離出力、及び定着目標温度の少なくとも１つの制御値であることを特徴とする前記（４）に記載の画像形成装置。
【００２３】
【発明の実施の形態】
以下、本発明の実施の形態について図面を参照しながら説明するが、本発明は、これに限定されるものではない。
【００２４】
図１は画像形成装置の構成を示す概略図。図２は画像形成装置の回路構成を示すブロック図。図３は画像形成装置の制御手順を示すフローチャートである。
【００２５】
なお、各図面において、同一符号のものは同一のものを示すものとし、適宜、他の図面を参照して、詳細に説明するものとする。
【００２６】
図１により、本発明に係る画像形成装置の構成について説明する。
なお、本発明の実施の形態における画像形成装置は、説明を簡単にするために電子写真方式の複写機とする。電子写真方式の複写機はよく知られているので、本発明と直接関わりのない部分に関しては簡単に説明する。
【００２７】
２０は画像形成装置全体を示し、画像形成装置２０の筐体１の右側面部には、比較的少量の紙やＯＨＰシート等の通常の転写材（普通紙ともいう。）Ｐを供給するための手差し皿２が設けられている。
【００２８】
また、左側面部には、画像が形成され排出された通常の転写材Ｐ、又は、後述するインデックス原稿に基く画像を形成するためのインデックス用の転写材（インデックス用紙ともいう。）ＩＰを排出して積載するための排紙皿３が設けられている。
【００２９】
筐体１の前面の上部には、画像形成装置２０を作動させるための表示手段及び操作入力手段としてのコントロールパネルＣＰが設けられている。
【００３０】
コントロールパネルＣＰには、例えば、液晶表示装置、あるいは、表示装置にタッチパネル等が組み込まれた表示手段としての液晶表示装置ＤＰ、数値等を入力するキーボードＫＢ、及び、コピー等の一連の画像形成動作を実行させるスタート釦（コピー釦ともいう。）ＳＫ等からなる入力装置とが設けられている。
【００３１】
筐体１の底面部には画像形成装置２０を移動できるようにするための複数のローラ４が設けられている。
【００３２】
筐体１の内部には、制御手段ＥＣ、画像形成手段１１、画像読取手段１３、及び給排紙手段１４等が設けられている。
【００３３】
制御手段ＥＣは、制御回路とも呼ばれ、画像形成装置２０の全ての作動を制御するための手段で、後述するＣＰＵ等からなる電気回路で構成されている。そして、ＣＰＵに予め記憶された制御プログラムや制御データ等に基づき、画像形成装置２０を構成する全ての手段を駆動制御するようになっている。
【００３４】
画像形成手段１１は、原稿の画像情報に基づく画像を形成するための手段である。
【００３５】
例えば、モータ等の駆動源により予め設定された作像方向（矢印Ｙ）に回転する感光体ドラム５、感光体ドラム５を一様に帯電する帯電手段６、原稿の画像情報（画像データともいう）に基づき信号化され、感光体ドラム５に静電潜像を形成する露光光Ｅ、感光体ドラム５に形成された静電潜像をトナー像として顕像化する現像手段７、感光体ドラム５に形成されたトナー像を転写材Ｐ等に転写する転写分離手段８、トナー像が転写材Ｐ等に転写された後、感光体ドラム５に残留するトナーや紙粉等を掻き落とすためのクリーニング手段９、及び、転写されたトナー像を転写材Ｐに溶融固着するための定着手段１０等により構成されている。
【００３６】
なお、定着手段は、熱源（ヒータ）により加熱される定着ローラに加圧ローラを圧接させ、転写材を両ローラで挟持搬送しながら熱と圧力とにより未定着トナー像の定着を行なうヒートローラ方式の熱定着装置とする。
【００３７】
そして、定着手段に設定される転写材の搬送速度は、詳細は後述するが、転写材の種類に応じた搬送速度、あるいは、ＪＯＢデータ中の最低搬送速度の何れかに設定される。
【００３８】
画像読取手段１３は、光源ＬＴ、ミラーＭＲ１、ＭＲ２、ＭＲ３、結像レンズＬＺ等からなる読取光学系と、ＣＣＤ（固体撮像素子）等を含む電気回路からなる読取装置ＥＳとで、構成されている。
【００３９】
読取装置ＥＳは、画像形成装置２０が複写機の場合は、プラテンガラス（図示せず）上に載置した原稿や自動原稿送り装置３０で、読取位置に搬送された原稿の画像情報を読み取り、デジタルの画像データに変換して、後述する記憶手段１６０に画像データを記憶するようになっている。
【００４０】
自動原稿送り装置（ＡＤＦ）３０により搬送された原稿を画像読取手段１３で読み取る場合は、読取位置に搬送された原稿を光源ＬＴが照射し、ミラーＭＲ１、ＭＲ２、ＭＲ３を介して、原稿からの反射光を結像レンズＬＺにより読取装置ＥＳのＣＣＤ面に結像させ、ＣＣＤの出力する画像情報を画像データとして記憶する。
【００４１】
給排紙手段１４は、給紙カセット１２と、駆動源としてのモータや複数のローラ等からなる給排紙搬送装置で構成されている。
【００４２】
給紙カセット１２は、例えば、インデックス用紙ＩＰを収納するインデックス用紙カセット１２ａと、普通紙Ｐを収納する普通紙用カセット１２ｂとで構成されている。
【００４３】
給排紙搬送装置は、制御手段ＥＣの指示により、原稿に基づきインデックス用紙ＩＰ又は普通紙Ｐを選択した後に、詳細は後述するが、インデックス用紙ＩＰ又は普通紙Ｐ等の転写材の種類に応じた搬送速度でモータを回転させ、複数のローラ等を回転駆動させて、給紙カセット１２から適切なタイミングで感光体ドラム５に向けてインデックス用紙ＩＰ又は普通紙Ｐを給紙搬送し、画像が形成された後に、排紙皿３へ排紙搬送するようになっている。
【００４４】
筐体１の上部には、自動原稿送り装置（ＡＤＦ）３０が装備されており、画像形成装置２０の画像読取手段１３と連動して、原稿を自動的に読取装置ＥＳの読取位置に向けて搬送し、読取装置ＥＳにより原稿の画像情報を読み取らせることができるようになっている。
【００４５】
ＡＤＦ３０は、搬送装置全体がＡＤＦ筐体３１で覆われ、ＡＤＦ筐体３１の外部に原稿載置台３２と排紙部３３が設けられている。
【００４６】
原稿載置台３２には、第１頁の原稿面（表面）を最上部にした状態の複数の原稿ＷＰが載置される。載置された原稿ＷＰは、原稿搬送装置により読取位置に搬送され、読取装置ＥＳで読み取られ、排紙部３３に排紙される。
【００４７】
例えば、複数ページから成る原稿束の最上部に、インデックス原稿が載置された形態の原稿ＷＰの場合も同様に搬送され、読み取られ、排紙される。
【００４８】
なお、インデックス原稿は、原稿束の内容の要約等が記載され、一般に、インデックス用紙としてはタブと呼ばれる突出部を有する厚手の紙が使用されている。
【００４９】
原稿搬送装置は、図示せぬ駆動制御回路により、画像形成装置２０の制御手段ＥＣと連動して作動するようになっている。
【００５０】
原稿搬送装置は、矢印Ｊ方向に揺動して原稿載置台３２に載置された原稿ＷＰを１枚づつ送り出す送りローラ３４、送られた原稿ＷＰを一旦停止させ、適切なタイミングで順次搬送させるための一対のローラからなる搬送ローラ（Ａ）３５、従動して回転するローラ３７に対向して設けられ、原稿ＷＰをローラ３７との間に挟持して従動回転する搬送ローラ（Ｂ）３６、搬送されてきた原稿ＷＰをローラ３７との間に挟持して、読取装置ＥＳで読み取れるように、読取位置に搬送する読取ローラ３８、読み取られた原稿ＷＰを矢印Ｌ方向に排紙搬送する一対の排紙ローラ３９、原稿ＷＰを裏返して裏面の画像情報を読み取れるようにＫ方向に搬送するための反転部材４０、及び、搬送された原稿ＷＰを検出し検知情報を出力する原稿検出センサＳ１等で構成されている。
【００５１】
原稿検出センサＳ１は、フォトセンサや機械的なスイッチ等により構成され、搬送ローラ（Ａ）３５と搬送ローラ（Ｂ）との間に配置されている。
【００５２】
原稿検出センサＳ１は、搬送方向における原稿ＷＰの先端、又は後端を検出して、原稿ＷＰの搬送が完了したことを検出し、搬送した原稿の枚数（ページ数ともいう。）を検出する計数情報と、次の原稿ＷＰの搬送を開始させるための搬送開始情報を得るようになっている。
【００５３】
また、インデックス原稿の場合は、インデックス用紙の側端部にタブと称する突部が設けられているので、このタブの有無を検出して、インデックス原稿かその他の原稿かを判別するための原稿種類情報を、必要に応じて、得ることができるようになっている。
【００５４】
なお、原稿検出センサＳ１で検出された計数情報や搬送開始情報、あるいは原稿種類情報等は、読み取り時には、後述する情報制御回路１２０を介して、記憶手段１６０に記憶され、画像形成時には、情報制御回路１２０は記憶されたこれらの情報を読み出して、例えば、インデックス原稿のページ番号と記憶された画像データに対する原稿の枚数（ページ数）とが一致したとき、インデックス用紙に画像を形成するように制御するための情報として活用される。
【００５５】
なお、詳細は割愛するが、搬送作動には、原稿ＷＰの片面のみの画像情報を読み取らせる片面モードと原稿ＷＰの表裏両面の画像情報を読み取らせる両面モードがあり、反転部材４０が軸４０ａを中心に揺動することにより片面モードと両面モードでの読み取りが可能になっている。
【００５６】
図２により、本発明に係る画像形成装置の回路構成について説明する。
１００は画像形成装置２０全体の各種手段と回路との構成を示しており、１１０は画像形成装置全体の制御を行うＣＰＵであり、画像形成装置２０を制御するための各種モードのプログラムやプログラムを実行するために必要なデータ等が予め記憶されている。
【００５７】
ＣＰＵ１１０には、情報制御回路１２０、画像処理回路１４０、駆動制御回路１５０および電源回路４００等が接続されている。そして、これらの回路により図１に示す制御手段ＥＣが構成され、画像形成装置２０全体の制御ができるようになっている。
【００５８】
情報制御回路１２０は、ＣＰＵ１１０の指示により、インタフェース（Ｉ／Ｆ）１３０を介して外部情報機器５００と接続して、文字や画像等の画像情報や画像形成等に必要な濃度や倍率等の設定情報をＪＯＢ情報として１つの印刷単位である１ＪＯＢ単位で入力し記憶手段１６０に記憶する。
【００５９】
そして、記憶手段１６０に記憶された設定情報等を画像処理回路１４０や駆動制御回路１５０、あるいは表示手段３００等に出力するようになっている。
【００６０】
また、情報制御回路１２０は、外部情報機器５００から入力した画像情報や設定情報等からなるＪＯＢ情報の他に、画像処理回路１４０や駆動制御回路１５０等を含む回路や各種手段の作動に必要な指示情報に関連する、例えば、転写材Ｐの種類に応じた搬送速度、搬送速度変更設定に必要な所要時間等のＪＯＢ情報に付随したデータ（ＪＯＢデータともいう。）の入出力、及び操作入力手段２００で入力された各種情報等を画像形成装置の作動に支障がないように、適宜円滑に画像形成装置の各回路や各種手段に伝達する機能を有している。
【００６１】
また、本発明の実施の形態においては、インデックス原稿と本文原稿が混在した原稿束の原稿を読み取り、画像形成を行うために、情報制御回路１２０は、原稿検出センサＳ１で検出された原稿の枚数を示す計数情報や先に搬送した原稿の搬送完了を示す搬送開始情報等を入力するよになっている。
【００６２】
例えば、原稿の読み取り時には、記憶手段１６０に、原稿の枚数（ページ数ともいう。）を記憶させたり、同様に、インデックス原稿のページ番号の情報として記憶させるようになっている。
【００６３】
また、画像形成時には、記憶手段１６０に記憶されたこれらの情報を読み出して、インデックス原稿のページ番号と原稿のページ数とが一致したとき、ページ番号に対応して記憶された画像データに基づきインデックス用紙に画像を形成させる。このとき、情報制御回路１２０は、インデックス原稿のページ番号と原稿のページ数とが一致したか否かを判定する判定手段としての機能も備えている。
【００６４】
なお、外部情報機器５００は、主としてコンピュータやインターネット・サーバーであるが、場合によっては、ローカル・エリア・ネットワーク（ＬＡＮ）上の他の画像形成装置、あるいは、デジタル・カメラや計測した情報を出力可能な計測装置等の情報機器が想定される。
【００６５】
インタフェース（Ｉ／Ｆ）１３０は、情報授受手段であり、前述のコンピュータや他の画像形成装置、インターネット・サーバー等の外部情報機器５００と各種ネットワークを介して接続できるように構成されている。
【００６６】
操作入力手段２００は、画像形成装置２０のコントロールパネルＣＰに設けられた入力装置である。前述したタッチパネルを備えた液晶表示装置ＤＰやキーボードＫＢ、及び、スタート釦ＳＫ等が想定される。
【００６７】
例えば、キーボードＫＢを操作することにより、転写材の出力枚数や種類（例えば、インデックス用紙、厚紙、普通紙、薄紙、再生紙、ＯＨＰシート等）、あるいは拡大縮小等の倍率や出力画像の濃度等の設定情報が入力できるようになっている。
【００６８】
また、操作入力手段２００は、場合によっては、画像形成装置２０の各種作動モードを設定するための入力手段にもなる。
【００６９】
特に、本発明の実施の形態においては、詳細は後述するが、転写材に応じた搬送速度で画像形成を行う第１の画像形成モードと、ＪＯＢデータ中の最低の搬送速度で画像形成を行う第２の画像形成モード等の設定や選択を行う入力装置になっている。
【００７０】
表示手段３００は、前述の液晶表示装置、あるいは、液晶表示部にタッチパネル等が組み込まれた表示装置ＤＰ等により構成されている。
【００７１】
表示手段３００には、操作入力手段２００で情報を入力する際の操作手順や各種情報の一覧表示、あるいは記憶手段１６０に記憶された情報の表示、画像形成装置の作動中の状態表示や警告表示等が表示されるようになっている。
【００７２】
特に、本発明の実施の形態においては、前述の第１の画像形成モードと、第２の画像形成モードとにおける画像形成時間を算出して比較し、画像形成時間の短い方の画像形成モードを実行するようになっているが、そのときに算出した画像形成時間や選択された画像形成モード等が表示されるようになっている。
【００７３】
画像処理回路１４０は、ＣＰＵ１１０の指示により、画像読取手段１３が読み取った原稿の画像情報をデジタル変換して、画像データとして記憶手段１６０に記憶させたり、記憶手段１６０に記憶されている画像データに基づき画像形成手段１１が画像を形成する際に、画像形成手段１１の画像形成方式に適したデータや信号等に変換する回路である。
【００７４】
駆動制御回路１５０は、ＣＰＵ１１０の指示により、画像形成手段１１、画像読取手段１３、給排紙手段１４、及び、ＡＤＦ３０等を、予め設定された作動モードに基づき、適切なタイミングで作動させ画像形成作動を行なわせるための回路である。
【００７５】
記憶手段１６０は、画像を形成するために必要な画像データ及び画像形成装置２０を制御するための設定条件等からなるＪＯＢ情報やＪＯＢデータ、及び、各種設定モードのプログラム等の情報を記憶するようになっている。
【００７６】
なお、ＪＯＢ情報及びＪＯＢデータに関して、本発明の実施の形態においては、以下のように定義する。
【００７７】
ＪＯＢ情報とは、画像形成装置２０が複写機の場合は、例えば、原稿の画像情報に基づき、原稿をセットし、片面又は両面モードの選択、給紙トレイの選択、コピー部数の選択、印刷濃度の選択などの、個々の仕事（ＪＯＢ）の情報のことで、出力設定を行い、コピー開始を指示することにより決定される一連の印刷データをいい、このような１つの印刷指示（１印刷単位ともいう。）に対応した印刷データ群を１ＪＯＢという。
【００７８】
また、同様に、画像形成装置がプリンターの場合は、外部情報機器５００から送信された一連の印刷データ群をＪＯＢ情報といい、１つの印刷指示に対応した印刷データ群を１ＪＯＢという。そして、１ＪＯＢ毎にＪＯＢ情報やＪＯＢデータを取り扱うことを１ＪＯＢ単位という。
【００７９】
なお、ＪＯＢデータとは、ＪＯＢ情報に付随した、例えば、転写材に応じた搬送速度、搬送速度変更処理に伴う変更時間等のデータ、あるいは、画像形成動作を実行するための制御項目に関し、特に、搬送速度に関連する制御値のデータをいう。
【００８０】
また、ＪＯＢデータ中の最低搬送速度とは、使用する転写材の中で、転写材の種類に応じて設定された最も遅い搬送速度をいい、例えば、ＪＯＢデータ中に３種類の転写材と転写材の種類に応じた３種類の搬送速度のデータが記憶されている場合、その３種類の搬送速度の中で最も遅い搬送速度をいう。
【００８１】
従って、記憶手段１６０には１つのＪＯＢ毎に、つまり１ＪＯＢ単位（単に、ＪＯＢ単位ともいう。）でＪＯＢ情報やＪＯＢデータが記憶されている。
【００８２】
画像形成手段１１は、図１に示すように、感光体ドラム５、帯電手段６、現像手段７、転写分離手段８、クリーニング手段９、及び定着手段１０等により構成され、駆動制御回路１５０により作動される。
【００８３】
画像読取手段１３で読み取られ、記憶手段１６０に記憶された画像データに基づき、ＪＯＢ情報やＪＯＢデータにより制御されて感光体ドラム５に画像を形成し、普通紙Ｐまたはインデックス用紙ＩＰに画像を転写し記録するようになっている。
【００８４】
画像読取手段１３は、図１に示すように、読取光学系と読取装置ＥＳとで構成されている。駆動制御回路１５０により作動され、読取位置に搬送された原稿の画像情報を読取装置ＥＳで読み取り、読み取られた画像情報は、例えば、画像処理回路１４０により、デジタルの画像データに変換して、記憶手段１６０に記憶するようになっている。
【００８５】
給排紙手段１４は、図１に示すように、インデックス用紙ＩＰと普通紙Ｐを収納する給紙カセット１２と給排紙搬送装置で構成されている。
【００８６】
給排紙搬送装置は、ＣＰＵ１１０の指示により、情報制御回路１２０が原稿のページ数とインデックス原稿のページ番号とを比較することにより、インデックス用紙ＩＰ又は普通紙Ｐが選択された後に、駆動制御回路１５０を介して作動する。給紙カセット１２から選択されたインデックス用紙ＩＰ又は普通紙Ｐを適切なタイミングで感光体ドラム５に向けて給紙搬送し、画像が形成されたインデックス用紙ＩＰ又は普通紙Ｐを排紙皿３へ排紙搬送するようになっている。
【００８７】
自動原稿送り装置（ＡＤＦ）３０は、図１に示すように、原稿載置台３２に載置された原稿を原稿搬送装置により自動的に１枚づつ読取位置に搬送する装置で、画像形成装置２０のＣＰＵ１１０の指示により、駆動制御回路１５０と連携して作動する。
【００８８】
ＡＤＦ３０に設けられている原稿検出センサＳ１は、搬送された原稿の先端、又は後端を検出して原稿の搬送に関連する情報を取得する。
【００８９】
例えば、原稿の搬送時には、搬送した原稿ＷＰのページ数（枚数）を検出する計数情報と、次の原稿ＷＰの搬送を開始させるための搬送開始情報、また、インデックス原稿かその他の原稿かを判別するための原稿種類情報を取得して、これらの情報を情報制御回路１２０を介して、記憶手段１６０に記憶するようになっている。
【００９０】
また、画像形成時には、記憶されたこれらの情報を情報制御回路１２０が読み出して、インデックス原稿のページ番号と原稿のページ数とを比較し、一致したときは、インデックス用紙ＩＰに画像を形成するように、また、一致しないときは普通紙Ｐに画像を形成するように、駆動制御回路１５０を介して画像形成手段１３及び給排紙手段１４を作動させるための情報として活用される。
【００９１】
電源回路４００は、使用者の操作により、電源スイッチ（図示せず）が投入されると、電源から適切な通電が画像形成装置全体に行われ、電源スイッチが遮断されると、通電が遮断されるようになっている。
【００９２】
なお、電源スイッチが投入されていても、例えば、画像形成装置を待機状態にする省電モードの場合は、ＣＰＵ１１０の指示により、一時的なメモリの記憶内容等の保存のために必要な通電のみを継続し、定着手段のヒータ等の他の通電を遮断するするようになっている。
【００９３】
次に、本発明に係る転写材と定着装置との関係について説明する。
画像形成装置に使用される転写材の種類には、例えば、タブ紙（インデックス用紙）、厚紙、普通紙、薄紙、再生紙、ＯＨＰシートと呼ばれているものがあるが、紙の厚みに限ってみてみると、薄紙、普通紙、厚紙がある。
【００９４】
おおよその目安として、薄紙は、６０（ｇ／平方メートル）未満の紙をいい、例えば、辞書の紙が、これに相当する。普通紙は、６０〜２００（ｇ／平方メートル）程度の紙をいい、例えば、一般的に用いられているコピー用紙が、これに相当する。厚紙は、２００（ｇ／平方メートル）以上の紙をいい、例えば、官製はがき、一般的なタブ紙（インデックス用紙）が、これに相当する。
【００９５】
また、紙の表面の平滑度について、これもおおよその目安ではあるが、平滑度を高い、普通、低いの３段階に区分することができる。
【００９６】
平滑度が高いものとしては、表面がコーティング処理されたコート紙などが挙げられる。平滑度が普通のものとしては、一般的に用いられているコピー用紙が挙げられる。また、平滑度が低いものとしては、新聞紙、書籍用紙、凹凸加工してあるエンボス紙などが挙げられる。
【００９７】
このように、転写材の種類によっても厚みや平滑度が異なり、厚みや平滑度が異なると、例えば、紙の厚みが厚かったり、紙の表面の平滑度が低いものは、厚みが薄いものや平滑度の高いものに比べて、トナー像を定着装置で定着するためには、大きな熱容量を与える必要がある。
【００９８】
紙の厚みが厚かったり紙の表面の平滑度が低いことにより、定着工程において与えるべき熱容量が大きい転写材と小さい転写材を交互に用いて出力する場合には、定着装置において、単に転写材の搬送速度を変化させると、画像形成工程全体の制御に大きく影響を及ぼし、前述のように、画像形成装置の生産性が悪化してしまうという問題があった。
【００９９】
そこで、定着装置における転写材の熱容量と搬送速度との関係を検討した結果、熱容量が大きい（厚みが厚い又は平滑度が低い）転写材を早く搬送すると、定着アンダーが発生するが、熱容量の小さい（厚みが薄い又は平滑度が高い）転写材をゆっくり搬送し、大きな熱量を与えたとしても、それほど大きな問題は起こらないことが判明した。仮に、熱量が過剰であることにより定着抜けなどが発生した場合には、定着温度を若干下げて搬送速度を調整すれば良いことが解った。
【０１００】
すなわち、熱容量が大きい転写材（例えば、インデックス用紙ＩＰ）と小さい転写材（例えば、普通紙Ｐ）を交互に用いて出力する場合には、熱容量が大きい転写材の搬送速度の方が熱容量の小さい転写材の搬送速度より遅いので、熱容量が大きい転写材の搬送速度を用いることにより、熱容量が大きい転写材と小さい転写材を同様の定着条件で定着を行うことができることが解った。
【０１０１】
つまり、画像形成を行うための１つのＪＯＢ情報の中に、熱容量が大きい転写材と小さい転写材を交互に用いて出力する情報が記憶されている場合、ＪＯＢ情報に付随するＪＯＢデータ中には、熱容量が大きい転写材と熱容量が小さい転写材に対する搬送速度が記憶されており、熱容量が大きい転写材に対しては熱容量の小さい転写材の搬送速度より遅い搬送速度が記憶されている。
【０１０２】
そこで、画像形成時間を算出する場合には、転写材の種類に応じた搬送速度と最低の搬送速度（最低搬送速度ともいう。）が必要となるが、最低搬送速度は１つのＪＯＢ情報の中に含まれている転写材の種類に応じた複数の搬送速度の中で最低の搬送速度を設定するようになっているから、この場合は、熱容量が大きい転写材の搬送速度がＪＯＢデータ中の最低搬送速度として設定されることになる。
【０１０３】
従って、このような定着方法を採用することにより、画像形成を行う際に、転写材に応じて搬送速度を変化させて画像形成した場合と、ＪＯＢデータ中の最低搬送速度で画像形成した場合とで、画像形成時間を比較して、時間の短い方の画像形成方法で画像形成を行うようにすれば、良いことを見出したので生産性を低下させずに画像形成ができるようになった。
【０１０４】
次に、熱容量が大きい転写材と小さい転写材を交互に用いて出力する場合について、本発明に係る画像形成動作を説明する。
【０１０５】
なお、本発明の実施の形態においては、前述のようにインデックス原稿と本文原稿が混在した原稿束の画像形成が行われることがあることを考慮して、熱容量が大きい転写材としてインデックス用紙ＩＰ（厚紙ともいう。）を用い、小さい転写材として普通紙Ｐを用いることにした。
【０１０６】
また、定着温度ＴＣを２００℃とし、普通紙の搬送速度ＶＡを５００ｍｍ／ｓｅｃ、厚紙の搬送速度ＶＢを３００ｍｍ／ｓｅｃ、転写材の搬送間隔（紙間ともいう。）ＰＣを１００ｍｍ、搬送速度切り替えに要する設定変更時間Ｒを１０ｓｅｃとした。
【０１０７】
そして、Ａ４（縦２９７ｍｍ×横２１０ｍｍ）普通紙１０枚、Ａ４厚紙を１０枚交互に合計２０枚出力する場合の画像形成時間を算出して比較する。なお、Ａ４普通紙及びＡ４厚紙は横方向に搬送するものとする。
【０１０８】
（１）転写材に応じて搬送速度を変更した場合の全出力を完了するまでに必要な画像形成時間Ｔ１を求める。
【０１０９】
普通紙の画像形成時間をＴＡ、厚紙の画像形成時間をＴＢ、設定変更時間Ｒの合計をＴＲとすると、Ｔ１＝ＴＡ＋ＴＢ＋ＴＲとなる。
【０１１０】
（イ）普通紙の全搬送距離をＬＡとし、ＴＡを求める。
2005037478.tif 000003
（ロ）厚紙の前搬送量をＬＢとし、ＴＢを求める。
【０１１１】
2005037478.tif 000004
（ハ）設定変更時間Ｒの合計ＴＲを求める。
【０１１２】
ＴＲ＝Ｒ×１９回＝１０ｓｅｃ×１９＝１９０ｓｅｃ
（ニ）Ｔ１＝ＴＡ＋ＴＢ＋ＴＲを求める。
【０１１３】
2005037478.tif 000005
（２）定着温度ＴＣを２００℃とし、ＪＯＢデータ中の最低の搬送速度ＶＣを３００ｍｍ／ｓｅｃとして、普通紙及び厚紙を合計２０枚搬送した場合の全出力を完了するまでに必要な画像形成時間Ｔ２を求める。
【０１１４】
（ホ）普通紙と厚紙の全搬送距離Ｌ２を求める。
2005037478.tif 000006
（ヘ）ＪＯＢデータ中の最低の搬送速度で搬送した場合の画像形成時間Ｔ２を求める。
【０１１５】
2005037478.tif 000007
（３）Ｔ１とＴ２を比較する。
【０１１６】
Ｔ１＝２０６．２ｓｅｃ＞Ｔ２＝２０．３ｓｅｃ
この場合、ＪＯＢデータ中の最低の搬送速度（最低搬送速度ともいう。）で全ての出力を行った方が、全ての出力を完了するまでの画像形成時間が短くなるため、最低搬送速度で出力するようにすると生産性が向上することが解る。
【０１１７】
従って、転写材の種類に応じた搬送速度で画像形成を行う第１の画像形成モードと、ＪＯＢデータ中の最低搬送速度で画像形成を行う第２の画像形成モードとを備え、画像形成を行う際に、第１の前記画像形成モードによる第１の画像形成時間と、第２の前記画像形成モードによる第２の画像形成時間とを算出して比較し、画像形成時間が短い方の画像形成モードで画像形成を行うようにすれば、生産性の良い画像形成装置を提供できることになる。
【０１１８】
次に、転写材の搬送速度を変更した場合の画像形成に関する制御対象項目の制御値の変更について説明する。
【０１１９】
転写材の搬送速度を変更した場合は、その変更に伴い、例えば、下記に示す制御対象項目の制御値を変更しなければならない。
【０１２０】
しかしながら、転写材の搬送速度に対する制御対象項目の制御値を全て記憶手段１６０に記憶したのでは、膨大なデータとなってしまう。そこで、例えば、転写材の種類に応じた搬送速度に対して変更された搬送速度の変化分を求め、この変化分に基づく演算により、変更された搬送速度に対する制御値を求めることで、この問題を解決することができる。
【０１２１】
具体的には、本発明の実施の形態においては、例えば、使用頻度の高い普通紙の搬送速度、及び、制御値を記憶しておき、これらの値を基に、線速比を求めて、搬送速度変更後の制御値を求めるようにした。
【０１２２】
例えば、転写材Ａの搬送速度（線速ともいう。）Ａを５００ｍｍ／ｓｅｃ、変更される線速Ｂを３００ｍｍ／ｓｅｃとした場合、線速Ａに対する線速Ｂの変化分（線速比ともいう。）Ｃは、Ｃ＝Ｂ／Ａ＝３００（ｍｍ／ｓｅｃ）／５００（ｍｍ／ｓｅｃ）＝０．６となる。
【０１２３】
従って、線速Ｂの場合、下記（１）〜（７）の制御対象項目の制御値の変化は、線速Ａの場合の制御値に線速比Ｃ（０．６）を剰じた値となり以下のようになる。
＜データ＞
2005037478.tif 000008
制御対象項目について説明する。
（１）帯電電流は、線速が変わることにより、単位時間当たりに感光体ドラムに与えるべき電荷量が変わるために線速の変化分だけ変化させる。
（２）帯電グリット電圧は、線速が変わっても感光体ドラムの帯電電位を変更しないため、線速が変わっても変更しないでよい。
（３）現像スリーブ回転速度は、感光体ドラムと現像スリーブの速度比を一定にする必要があるため、線速が変わると、線速の変化分だけ変化させる。
（４）転写電流は、線速が変わることにより、単位時間当たりに転写紙に与えるべき電荷量が変わるために、線速の変化分だけ変化させる。
（５）分離直流（ＤＣ）電流は、線速が変わることにより、単位時間当たりに転写紙に与えるべき電荷量が変わるために、線速の変化分だけ変化させる。
（６）分離交流（ＡＣ）電流は、固定値出力としているため、線速が変わっても変更しないでよい。
（７）定着目標温度は、ホットオフセット（定着抜け）や定着アンダーなどの不具合が起こらない範囲であれば、変更する必要なし。但し、紙の種類や環境などの条件によっては、変更する必要がある場合もある。
【０１２４】
すなわち、搬送速度を変更した場合は、前述のように線速比を求め、変更前の線速に基づき設定されていた制御対象項目の制御値に対して、線速比を乗ずることで、変更後の線速に対応する制御対象項目の制御値を求めることが簡単にできる。
【０１２５】
従って、搬送速度を変更する制御を行う場合に、前述のような演算を行えば良く、あらゆる搬送速度に対応する制御対象項目の制御値を記憶手段に記憶させておく必要がないので、記憶手段の記憶容量を膨大なものにする必要はない。
【０１２６】
また、制御値を求める演算も簡単な演算で良いので、演算プログラムも簡単で良く制御回路や制御動作を複雑にする必要がない。
【０１２７】
次に、図３により本発明に係る画像形成動作の手順について説明する。なお、説明にあたって、適宜、図１及び図２を参照して詳細に説明する。
【０１２８】
（ＳＴ１）
まず最初に、ＪＯＢ情報を入力するステップである。例えば、画像形成装置がプリンタの場合は、ＣＰＵ１１０の指示により、情報制御回路１２０はインターフェース（Ｉ／Ｆ）１３０を介して外部情報機器５００からＪＯＢ情報及びＪＯＢデータによりデータを入力し、記憶手段１６０に記憶される。
【０１２９】
また、画像形成装置が複写機の場合は、同様に、画像読取手段１３やインターフェース（Ｉ／Ｆ）１３０を介して外部情報機器５００から入力されたＪＯＢ情報及びＪＯＢデータ等が記憶手段１６０に記憶される。
【０１３０】
ＪＯＢ情報及びＪＯＢデータが１ＪＯＢ単位で入力され記憶手段１６０に記憶されるとＳＴ２に進む。
【０１３１】
（ＳＴ２）
転写材を変更して画像形成を行うようになっているか否かを判断するステップである。ＣＰＵ１１０の指示により、情報制御回路１２０が画像形成を実行するために１つのＪＯＢ情報を記憶手段１６０から読み出した時に、このＪＯＢ情報に含まれる個々のＪＯＢを検索して、そのＪＯＢ情報の中に転写材を変更して画像形成を行うようなＪＯＢがある場合はＳＴ３に進み、転写材を変更しないで画像形成を行うようになっている場合はＳＴ１１に飛ぶ。
【０１３２】
（ＳＴ３）
このステップを通過するのが１部目か否かを判断するステップである。画像形成を行う場合に、ＣＰＵ１１０の指示により、情報制御回路１２０が１部目であることを検出したときはＳＴ４に進み、それ以外の部数である場合はＳＴ６に飛ぶ。
【０１３３】
（ＳＴ４）
このステップを通過するのが１枚目か否かを判断するステップである。画像形成を行う場合に、ＣＰＵ１１０の指示により、情報制御回路１２０が１枚目であることを検出したときはＳＴ５に進み、それ以外の部数である場合はＳＴ６に飛ぶ。
【０１３４】
（ＳＴ５）
ＪＯＢ情報及びＪＯＢデータにより、第１の画像形成モードによる第１の画像形成時間（Ａ方式という。）と、第２の画像形成モードによる第２の画像形成時間（Ｂ方式という。）とを演算するステップである。
【０１３５】
ＣＰＵ１１０の指示により、情報制御回路１２０が記憶手段１６０から読み出したＪＯＢ情報及びＪＯＢデータにより、Ａ方式とＢ方式の画像形成時間を演算する。
【０１３６】
演算されたＡ方式とＢ方式の画像形成時間は記憶手段１６０に記憶されるようになっているので、１つのＪＯＢ情報に対しては１回、すなわち、複数部数の画像形成を行う場合においても、最初の１回のみ演算を実行すれば良い。
【０１３７】
なお、演算する場合の方式として、２つの方式がある。１つはＪＯＢ単位で演算する方式である。この場合は、全てのＪＯＢを考慮して、画像形成時間が演算できるので、演算がやや複雑になるが、画像形成時間を比較する場合に、正確な比較が行える利点がある。
【０１３８】
もう一つは、一定ページ数を単位として演算する方式であり、簡単に演算することができる利点があるが、反面、例えば、一定ページ数の設定によっては、誤差が生じやすく、特に、一定ページ数と出力部数に大きな差があるようなものの画像形成時間の比較には不向きである。
【０１３９】
つまり、画像形成時間の比較を行う際に、ＪＯＢ単位で比較するか、一定ページ数単位で比較するかを、これらの特徴を考慮した上で決定し、この決定に従って演算するように設定する必要がある。
【０１４０】
従って、どちらの方式で比較するかを、例えば、ＪＯＢ情報の部数により自動的に判断して演算するように設定すると便利である。また、コントロールパネルＣＰによりＪＯＢ単位でどちらの方式で比較するかを設定できるようにしたり、一定ページ数単位のページ数を設定できるようにしておくと更に便利である。
【０１４１】
（ＳＴ６）
Ａ方式とＢ方式の画像形成時間を比較するステップである。ＣＰＵ１１０の指示により、情報制御回路１２０がＳＴ５ステップで求められたＡ方式とＢ方式の画像形成時間を比較する。Ａ方式の画像形成時間が短い場合はＳＴ７に進み、Ｂ方式の画像形成時間が短い場合はＳＴ１０に飛ぶ。
【０１４２】
（ＳＴ７）
Ａ方式の場合の搬送速度に応じた制御項目の制御値を求め設定するステップである。搬送速度に関連する制御項目の制御値は、前述のように変更前の転写材の搬送速度に対する線速比を求め、求めた線速比を変更前の制御値に乗ずることにより求められる。ＣＰＵ１１０の指示により、情報制御回路１２０が制御値を求め、求められた制御値が駆動制御回路１５０等の関連する制御項目毎に設定されるとＳＴ８に進む。
【０１４３】
なお、求められた制御値を搬送速度に関連付けて記憶手段１６０に記憶するようにしておけば、演算を繰り返すこともなく、必要に応じて記憶手段１６０から読み出して使用することができるので便利である。
【０１４４】
また、変更前の搬送速度及び制御値の代わりに、予め設定された幾つかの転写材に応じた搬送速度及び制御値の中から選択して使用しても良く、また、多用される普通紙の搬送速度及び制御値を用いるようにしても良い。
【０１４５】
（ＳＴ８）
ＪＯＢ情報とＪＯＢデータ、及び搬送速度に関連する制御値等に基づきＡ方式での画像形成動作を行うステップである。
【０１４６】
ＣＰＵ１１０の指示により、画像処理回路１４０と駆動制御回路１５０が協働して画像形成手段１１や給排紙手段１４等を作動させ画像形成動作を行う。そして、予め設定された画像形成単位での画像形成動作が終了するとＳＴ９に進む。
【０１４７】
なお、予め設定された画像形成単位とは、例えば、転写材１枚毎、あるいは１部数毎の単位をいい、何れの単位で画像形成を行うか否かは、予めコントロールパネルＣＰにより設定できるようになっている。
【０１４８】
従って、画像形成単位として転写材１枚毎の画像形成動作が設定されていると、１枚分の画像形成動作が終了するとＳＴ９に進み、１部数毎の画像形成動作が設定されていると、１部数分の画像形成動作が終了するとＳＴ９に進む。
【０１４９】
（ＳＴ９）
全てのＪＯＢが終了したか否かを判断するステップである。出力部数は予めコントロールパネルＣＰにより設定できるようになっており、ＣＰＵ１１０の指示により、設定された出力部数と出力された部数とが一致するか否かを情報制御回路１２０が判断するようになっている。
【０１５０】
そして、設定された出力部数と出力された部数とが一致したときは、画像形成動作を終了し、一致していないときはＳＴ２に飛ぶ。
【０１５１】
（ＳＴ１０）
Ｂ方式の場合の搬送速度に応じた制御項目の制御値を求め設定するステップである。Ａ方式と同様に、ＣＰＵ１１０の指示により、情報制御回路１２０が搬送速度に関連する制御項目の制御値を求め、求められた制御値を駆動制御回路１５０等の関連する制御項目毎に設定されるとＳＴ１１に進む。
【０１５２】
なお、求められた制御値は、Ａ方式と同様に、搬送速度に関連付けて記憶手段１６０に記憶するようになっている。
【０１５３】
（ＳＴ１１）
ＪＯＢ情報とＪＯＢデータ、及び求められた制御値等に基づきＢ方式での画像形成動作を行うステップである。
【０１５４】
Ａ方式と同様に、ＣＰＵ１１０の指示により、画像処理回路１４０と駆動制御回路１５０が協働して画像形成手段１１や給排紙手段１４等を作動させ画像形成動作を行う。そして、予め設定された画像形成単位での画像形成動作が終了するとＳＴ９に進む。
【０１５５】
（ＳＴ１２）
転写材に応じた搬送速度と制御値に基づく画像形成動作を行うステップである。ＪＯＢ情報の中に転写材の変更を行うＪＯＢが無いので、ＪＯＢ情報の中に設定されている唯一の転写材について、搬送速度に応じた制御値を設定し画像形成動作を行う。そして、予め設定された画像形成単位での画像形成動作が終了するとＳＴ９に進む。
【０１５６】
なお、この場合、普通紙のように転写材が汎用の転写材として多用されるような場合には、多用される幾つかの転写材について、予め転写材の搬送速度と制御値をテーブル化して記憶手段１６０に記憶するようにしておくと、転写材の種類を設定するだけで搬送速度と制御値が設定できるようになるので便利である。
【０１５７】
以上のように、本発明に係る画像形成装置の制御手順について説明したが、本発明は、定着装置において転写材の定着を行う際に、転写材の種類に応じて設定された搬送速度が異なる場合に、転写紙の種類に応じた搬送速度、又は、ＪＯＢデータ中の最低搬送速度で画像形成を行った場合の画像形成時間を比較して、画像形成時間が短い方の画像形成モードで画像形成を行うようにしたので、画像品質を劣化させることなく、生産性を向上させることができるようになった。
【０１５８】
なお、熱容量の大きい転写材と小さい転写材の例として、インデックス用紙と普通紙が混在する場合を一例として説明してきたが、平滑度の高い転写紙と低い転写紙との組み合わせも含めて、転写紙の組み合わせはこの組み合わせに限らず、他の組み合わせにおいても画像形成時間を比較し、画像形成時間が短い方の画像形成モードで画像形成を行うようにすれば、常に、生産性を向上させることができる。
【０１５９】
また、一定ページ数単位で簡単に画像形成時間の演算を行い簡単に比較したり、１つの印刷単位である１ＪＯＢ単位の情報で画像形成時間の演算を行い正確な比較を行ったりすることができるようにしたので、ＪＯＢ情報に応じて、最適な方式で比較ができるので、生産性を向上させることができる。
【０１６０】
更に、搬送速度を変更しても、搬送速度比を求めることで各制御値を簡単に求めることができるので、搬送速度に対する制御値を全て記憶しておく必要がなく、記憶手段の記憶容量を小さなものにできるので、制御回路を安価なもので構成でき、かつ、生産性を向上させることができるようになった。
【０１６１】
【発明の効果】
本発明は、転写材の種類に応じた搬送速度で画像形成を行う場合と、ＪＯＢデータ中の最低搬送速度で画像形成を行う場合の画像形成時間を比較し、短い時間となる画像形成モードで画像形成を行うので、常に生産性の良い画像形成ができる画像形成装置を提供できる。
【０１６２】
更に、搬送速度を変更しても、搬送速度比を求めることで各制御値を簡単に求めることができ、画像形成に係る制御値が、適切な制御値で制御され定着不良が発生することがなく、生産性の良い画像形成ができる画像形成装置を提供できる。
【図面の簡単な説明】
【図１】画像形成装置の構成を示す概略図。
【図２】画像形成装置の回路構成を示すブロック図。
【図３】画像形成装置の制御手順を示すフローチャート。
【符号の説明】
１  筐体
２  手差し皿
３  排紙皿
４  ローラ
５  感光体ドラム
６  帯電手段
７  現像手段
８  転写分離手段
９  クリーニング手段
１０  定着手段
１１  画像形成手段
１２  給紙カセット
１３  画像読取手段
１４  給排紙手段
２０  画像形成装置
３０  自動原稿送り装置
３１  ＡＤＦ筐体
３２  原稿載置台
３３  排紙部
３４  送りローラ
３５  搬送ローラ（Ａ）
３６  搬送ローラ（Ｂ）
３７  ローラ
３８  読取ローラ
３９  排紙ローラ
４０  反転部材
【図１】
2005037478.tif 000009
【図２】
2005037478.tif 000010
【図３】
2005037478.tif 000011